(57)【特許請求の範囲】
【請求項１】
少なくとも片側の基板が透明である２枚の電極を配した基板を対向させ、該電極間に駆動電圧信号が印加されることによって駆動される複数の表示素子が所定の走査線に沿って配列された表示パネルに、該駆動電圧信号を供給する信号処理装置において、
上記駆動電圧信号を入力する入力手段と、
上記入力手段により入力された注目表示素子に供給するための駆動電圧信号から、該注目表示素子によって表示される注目画素の輝度レベルを検出する輝度検出手段と、
上記走査線の順方向に該注目表示素子と隣接する第１の隣接表示素子に所定の電圧レベルの駆動電圧信号を供給したときの上記注目表示素子に供給する駆動電圧信号の電圧レベルに応じた上記注目画素の輝度レベルの変化に基づいて設定されており、上記注目表示素子に供給される駆動電圧信号と上記第１の隣接表示素子に供給される駆動電圧信号との電圧レベル差によって変化する上記注目画素の輝度レベルを補正するための第１の補正係数、及び、上記走査線の逆方向に該注目表示素子と隣接する第２の隣接表示素子に所定の電圧レベルの駆動電圧信号を供給したときの該注目表示素子に供給する駆動電圧信号の電圧レベルに応じた該注目画素の輝度レベルの変化に基づいて設定されており、上記注目表示素子に供給される駆動電圧信号と上記第２の隣接表示素子に供給される駆動電圧信号との電圧レベル差によって変化する該注目画素の輝度レベルを補正するための第２の補正係数が記憶された記憶手段と、
上記記憶手段から、上記輝度検出手段により検出された注目画素の輝度レベルに応じた第１の補正係数と第２の補正係数をそれぞれ選択する選択手段と、
上記入力手段により入力された駆動電圧信号から、上記注目表示素子に供給するための駆動電圧信号と上記第１の隣接表示素子に供給するための駆動電圧信号との電圧レベル差を示す第１の電圧レベル差、及び、該注目表示素子に供給するための駆動電圧信号と上記第２の隣接表示素子に供給するための駆動電圧信号との電圧レベル差を示す第２の電圧レベル差を算出する差分演算手段と、
上記選択手段により選択された第１の補正係数と上記差分演算手段により算出された第１の電圧レベル差とを乗算して第１の補正電圧レベルを算出し、該選択手段により選択された第２の補正係数と該差分演算手段により算出された第２の電圧レベル差とを乗算して第２の補正電圧レベルを算出する補正電圧レベル算出手段と、
上記入力手段により入力された上記注目表示素子へ供給するための駆動電圧信号の電圧レベルに、上記補正電圧レベル算出手段により算出された第１の補正電圧レベルと第２の補正電圧レベルとを加算して上記表示パネルの注目表示素子に供給する加算手段とを備える信号処理装置。
【請求項２】
上記表示パネルは、少なくとも片側の基板が透明である２枚の電極を配した基板を対向させ、これら対向させた基板間に液晶を狭持した上記複数の表示素子からなり、この狭持した液晶に上記駆動電圧信号を印加することにより駆動することを特徴とする請求項１記載の信号処理装置。
【請求項３】
上記表示パネルには、上記走査線に沿って配列される各画素領域に、緑色光を表示するための１つの表示素子と赤色光を表示するための１つの表示素子と青色光を表示するための１つの表示素子とから構成される画素が設けられていることを特徴とする請求項１記載の信号処理装置。
【請求項４】
少なくとも片側の基板が透明である２枚の電極を配した基板を対向させ、該電極間に駆動電圧信号が印加されることによって駆動される複数の表示素子が所定の走査線に沿って配列された表示パネルに、該駆動電圧信号を供給する信号処理方法において、
駆動電圧信号を入力手段により入力する入力工程と、
上記入力工程により入力された注目表示素子に供給する駆動電圧信号から、該注目表示素子によって表示される注目画素の輝度レベルを検出する輝度検出工程と、
上記走査線の順方向に該注目表示素子と隣接する第１の隣接表示素子に所定の電圧レベルの駆動電圧信号を供給したときの上記注目表示素子に供給する駆動電圧信号の電圧レベルに応じた上記注目画素の輝度レベルの変化に基づいて設定されており、上記注目表示素子に供給される駆動電圧信号と上記第１の隣接表示素子に供給される駆動電圧信号との電圧レベル差によって変化する上記注目画素の輝度レベルを補正するための第１の補正係数、及び、上記走査線の逆方向に該注目表示素子と隣接する第２の隣接表示素子に所定の電圧レベルの駆動電圧信号を供給したときの該注目表示素子に供給する駆動電圧信号の電圧レベルに応じた該注目画素の輝度レベルの変化に基づいて設定されており、上記注目表示素子に供給される駆動電圧信号と上記第２の隣接表示素子に供給される駆動電圧信号との電圧レベル差によって変化する該注目画素の輝度レベルを補正するための第２の補正係数が記憶された記憶手段から、上記輝度検出工程により検出された注目画素の輝度レベルに応じた第１の補正係数と第２の補正係数をそれぞれ選択する選択工程と、
上記入力手段により入力された駆動電圧信号から、上記注目表示素子に供給するための駆動電圧信号と上記第１の隣接表示素子に供給するための駆動電圧信号との電圧レベル差を示す第１の電圧レベル差、及び、該注目表示素子に供給するための駆動電圧信号と上記第２の隣接表示素子に供給するための駆動電圧信号との電圧レベル差を示す第２の電圧レベル差を算出する差分演算工程と、
上記選択工程により選択された第１の補正係数と上記差分演算工程により算出された第１の電圧レベル差とを乗算して第１の補正電圧レベルを算出し、該選択工程により選択された第２の補正係数と該差分演算工程により算出された第２の電圧レベル差とを乗算して第２の補正電圧レベルを算出する補正電圧レベル算出工程と、
上記入力手段により入力された上記注目表示素子へ供給するための駆動電圧信号の電圧レベルに、上記補正電圧レベル算出工程により算出された第１の補正電圧レベルと第２の補正電圧レベルとを加算して上記表示パネルの注目表示素子に供給する加算工程とを有する信号処理方法。
【発明の詳細な説明】
【技術分野】
【０００１】
本発明は、少なくとも片側の基板が透明である２枚の電極を配した基板を対向させ、該電極間に駆動電圧信号が印加されることによって駆動される複数の表示素子が所定の走査線に沿って配列された表示パネルに、該駆動電圧信号を供給する信号処理装置、及び、信号処理方法に関する。
【背景技術】
【０００２】
一般的な液晶表示パネルは、片側の基板に配置した画素電極と、この基板に対向する基板に配置した共通電極と、この画素電極と共通電極との間に狭持されている誘電率異方性液晶層とからなる液晶素子が複数配置されたものである。各液晶素子は、駆動電圧信号の電圧レベルに応じて画素電極と共通電極との電極間の電場の強さを変化させることにより、液晶層を通過する光の透過率を変化させる。そして、液晶パネルは、各液晶素子に、画素電極と共通電極とに印加する電圧レベルを調整することで所望の画像を表示するように駆動する。
【０００３】
このような液晶表示パネルでは、パネル内の隣接する液晶素子の間隔を狭くことにより、表示画像の高輝度化及び高解像度化を実現することができる。しかしながら、液晶表示パネルでは、隣接する液晶素子の間隔を狭くすると、隣接する液晶素子に供給される駆動電圧信号間の電圧レベル差によって、液晶層に電場の乱れが発生してしまい、これに応じて光の透過率が変化して、表示される映像の画質が劣化してしまうという問題がある。
【０００４】
液晶表示パネルのうち、赤色光を表示するための液晶素子と緑色光を表示するための液晶素子と青色光を表示するための液晶素子とが走査線に沿って配置された単板式の表示パネルでは、隣接する液晶素子の液晶層の特性が異なるため、図１１に示すような電場の乱れが各液晶素子に発生してしまう。
【０００５】
図１１（Ａ）及び図１１（Ｂ）は、それぞれ単板式の液晶表示パネルの断面形状を模式的に示したものであって、緑色光を表示するための液晶素子Ｇと、青色光を表示するための液晶素子Ｂと、赤色光を表示するための液晶素子Ｒとが走査線に沿って並んだ状態を示した図である。また、図１１（Ａ）及び図１１（Ｂ）は、それぞれ走査線の位置に応じた電場の強さを示す曲線Ｅ１、Ｅ２と、各液晶素子における液晶の配向とを模式的に示している。また、この液晶表示パネルに配置された液晶素子は、印加される電圧値が０［Ｖ］から５［Ｖ］に変化するのに伴って輝度レベルを最高値から最低値に低下するように設計されたものである。
【０００６】
液晶表示パネルは、一般的に白色を正確に表示するように設定されているため、図１１（Ａ）の曲線Ｅ１が示すように、例えば液晶素子Ｇ、Ｂ、Ｒ全てに２［Ｖ］の電圧を印加すると、これらの液晶素子に対応する画素が所望とする灰色を表示するように、各液晶素子の液晶層全体の配向を略均一に変化させることができる。
【０００７】
しかしながら、液晶表示パネルは、図１１（Ｂ）の曲線Ｅ２が示すように、液晶素子Ｇに印加する駆動電圧レベルを５［Ｖ］にし、この液晶素子Ｇに隣接する液晶素子Ｒ、Ｂに印加する駆動電圧レベルをそれぞれ２［Ｖ］にすると、次のような要因により、電場の乱れが各液晶素子に発生してしまう。
【０００８】
具体的には、図１１（Ｂ）に示す液晶素子Ｂの電界の強さは、走査線の逆方向に隣接する液晶素子Ｇの電界の影響により、図１１（Ａ）に示す液晶素子Ｂの電界の強さに対して、液晶素子Ｇとの隣接部分Ｗ１の電界の強さが弱くなる。このため、図１１（Ｂ）に示す液晶素子Ｂによって表示される画素の輝度レベルは、図１１（Ａ）に示す液晶素子Ｂによって表示される画素の輝度レベルよりも高くなってしまう。また、図１１（Ｂ）に示す液晶素子Ｒの電界の強さは、走査線の順方向に隣接する液晶素子Ｇの電界の影響により、図１１（Ａ）に示す液晶素子Ｂの電界の強さと比べると、液晶素子Ｇとの隣接部分Ｗ２の電界の強さが強くなる。このため、図１１（Ｂ）に示す液晶素子Ｒによって表示される画素の輝度レベルは、図１１（Ａ）に示す液晶素子Ｇによって表示される画素の輝度レベルよりも高くなってしまう。
【０００９】
このような隣接する液晶素子の電界の強さによって液晶の配向が乱れる度合いは、特に隣接する液晶素子間の距離が短いほど大きくなる。
【００１０】
特許文献１には、注目画素の輝度レベルを、この注目画素の走査線に沿って隣接する画素の輝度レベルを参照して補正する液晶表示装置が記載されている。この液晶表示装置では、片方の方向に隣接する画素の輝度レベルを参照して補正するため、換言すれば、走査線の逆方向に隣接する画素の輝度レベルを参照して補正しないため、例えば図１０（Ｂ）に示した液晶素子Ｂの輝度レベルを適切に補正することができない。
【００１１】
また、特許文献２には、注目画素の映像信号を、この注目画素の走査線の順方向及び逆方向に隣接する２つの画素の映像信号を参照して補正する表示装置が記載されている。この表示装置では、隣接する画素の影響を、隣接画素が注目画素に対して順方向及び逆方向に位置するかに関わらず、同じ割合で考慮して補正を施すものである。よって、この表示装置では、特にパネル内の液晶素子の配列構造が左右非対称である場合や、液晶素子が液晶の配向をチルト角を含めて制御する場合には、隣接する液晶素子間の電圧レベル差によって液晶の配向が乱れる度合いが、どちらの方向に隣接するかによって異なるため、適切に輝度レベルを補正することができない。
【００１２】
また、上述したような液晶表示パネル以外にも、少なくとも片側の基板が透明である２枚の電極を配した基板を対向させ、該電極間に駆動電圧信号が印加されることによって駆動される複数の表示素子が所定の走査線に沿って配列された表示パネルには、注目表示素子によって表示される輝度レベルが隣接する表示素子に供給される駆動電圧信号の信号レベルによって変化してしまうものもある。
【００１３】
【特許文献１】特開２００５−３５２４４３号公報
【特許文献２】特開２０００−３２１５５９号公報
【発明の開示】
【発明が解決しようとする課題】
【００１４】
本発明は、このような実情に鑑みて提案されたものであり、表示パネルに配置された隣接する表示素子間の電圧レベル差によって生じる注目画素の輝度レベルの変化が走査線の順方向又は逆方向に隣接するかによって異なる場合でも、適切に注目画素の輝度レベルを補正することで画質劣化を低減する信号処理装置、及び、信号処理方法を提供することを目的とする。
【課題を解決するための手段】
【００１５】
上述した課題を解決するための手段として、本発明に係る信号処理装置は、少なくとも片側の基板が透明である２枚の電極を配した基板を対向させ、該電極間に駆動電圧信号が印加されることによって駆動される複数の表示素子が所定の走査線に沿って配列された表示パネルに、該駆動電圧信号を供給する信号処理装置であって、上記駆動電圧信号を入力する入力手段と、上記入力手段により入力された注目表示素子に供給するための駆動電圧信号から、該注目表示素子によって表示される注目画素の輝度レベルを検出する輝度検出手段と、上記走査線の順方向に該注目表示素子と隣接する第１の隣接表示素子に所定の電圧レベルの駆動電圧信号を供給したときの上記注目表示素子に供給する駆動電圧信号の電圧レベルに応じた上記注目画素の輝度レベルの変化に基づいて設定されており、上記注目表示素子に供給される駆動電圧信号と上記第１の隣接表示素子に供給される駆動電圧信号との電圧レベル差によって変化する上記注目画素の輝度レベルを補正するための第１の補正係数、及び、上記走査線の逆方向に該注目表示素子と隣接する第２の隣接表示素子に所定の電圧レベルの駆動電圧信号を供給したときの該注目表示素子に供給する駆動電圧信号の電圧レベルに応じた該注目画素の輝度レベルの変化に基づいて設定されており、上記注目表示素子に供給される駆動電圧信号と上記第２の隣接表示素子に供給される駆動電圧信号との電圧レベル差によって変化する該注目画素の輝度レベルを補正するための第２の補正係数が記憶された記憶手段と、上記記憶手段から、上記輝度検出手段により検出された注目画素の輝度レベルに応じた第１の補正係数と第２の補正係数をそれぞれ選択する選択手段と、上記入力手段により入力された駆動電圧信号から、上記注目表示素子に供給するための駆動電圧信号と上記第１の隣接表示素子に供給するための駆動電圧信号との電圧レベル差を示す第１の電圧レベル差、及び、該注目表示素子に供給するための駆動電圧信号と上記第２の隣接表示素子に供給するための駆動電圧信号との電圧レベル差を示す第２の電圧レベル差を算出する差分演算手段と、上記選択手段により選択された第１の補正係数と上記差分演算手段により算出された第１の電圧レベル差とを乗算して第１の補正電圧レベルを算出し、該選択手段により選択された第２の補正係数と該差分演算手段により算出された第２の電圧レベル差とを乗算して第２の補正電圧レベルを算出する補正電圧レベル算出手段と、上記入力手段により入力された上記注目表示素子へ供給するための駆動電圧信号の電圧レベルに、上記補正電圧レベル算出手段により算出された第１の補正電圧レベルと第２の補正電圧レベルとを加算して上記表示パネルの注目表示素子に供給する加算手段とを備える。
【００１６】
また、本発明に係る信号処理方法は、少なくとも片側の基板が透明である２枚の電極を配した基板を対向させ、該電極間に駆動電圧信号が印加されることによって駆動される複数の表示素子が所定の走査線に沿って配列された表示パネルに、該駆動電圧信号を供給する信号処理方法であって、駆動電圧信号を入力手段により入力する入力工程と、上記入力工程により入力された注目表示素子に供給する駆動電圧信号から、該注目表示素子によって表示される注目画素の輝度レベルを検出する輝度検出工程と、上記走査線の順方向に該注目表示素子と隣接する第１の隣接表示素子に所定の電圧レベルの駆動電圧信号を供給したときの上記注目表示素子に供給する駆動電圧信号の電圧レベルに応じた上記注目画素の輝度レベルの変化に基づいて設定されており、上記注目表示素子に供給される駆動電圧信号と上記第１の隣接表示素子に供給される駆動電圧信号との電圧レベル差によって変化する上記注目画素の輝度レベルを補正するための第１の補正係数、及び、上記走査線の逆方向に該注目表示素子と隣接する第２の隣接表示素子に所定の電圧レベルの駆動電圧信号を供給したときの該注目表示素子に供給する駆動電圧信号の電圧レベルに応じた該注目画素の輝度レベルの変化に基づいて設定されており、上記注目表示素子に供給される駆動電圧信号と上記第２の隣接表示素子に供給される駆動電圧信号との電圧レベル差によって変化する該注目画素の輝度レベルを補正するための第２の補正係数が記憶された記憶手段から、上記輝度検出工程により検出された注目画素の輝度レベルに応じた第１の補正係数と第２の補正係数をそれぞれ選択する選択工程と、上記入力手段により入力された駆動電圧信号から、上記注目表示素子に供給するための駆動電圧信号と上記第１の隣接表示素子に供給するための駆動電圧信号との電圧レベル差を示す第１の電圧レベル差、及び、該注目表示素子に供給するための駆動電圧信号と上記第２の隣接表示素子に供給するための駆動電圧信号との電圧レベル差を示す第２の電圧レベル差を算出する差分演算工程と、上記選択工程により選択された第１の補正係数と上記差分演算工程により算出された第１の電圧レベル差とを乗算して第１の補正電圧レベルを算出し、該選択工程により選択された第２の補正係数と該差分演算工程により算出された第２の電圧レベル差とを乗算して第２の補正電圧レベルを算出する補正電圧レベル算出工程と、上記入力手段により入力された上記注目表示素子へ供給するための駆動電圧信号の電圧レベルに、上記補正電圧レベル算出工程により算出された第１の補正電圧レベルと第２の補正電圧レベルとを加算して上記表示パネルの注目表示素子に供給する加算工程とを有する。
【発明の効果】
【００１７】
本発明では、表示パネルに配置された隣接する表示素子間の電圧レベル差によって生じる注目画素の輝度レベルの変化が走査線の順方向又は逆方向に隣接するかによって異なる場合でも、走査線の順方向に隣接する第１の隣接表示素子との関係から第１の補正電圧レベルを算出し、走査線の逆方向に隣接する第２の隣接表示素子との関係から第２の補正電圧レベルを算出して、これら第１、第２の補正電圧レベルを加算した電圧レベルの駆動電圧信号を注目表示素子に供給するので、注目画素の輝度レベルの変化を適切に補正することができ、画質劣化を低減することができる。
【発明を実施するための最良の形態】
【００１８】
本発明が適用された信号処理装置は、少なくとも片側の基板が透明である２枚の電極を配した基板を対向させ、該電極間に駆動電圧信号が印加されることによって駆動される複数の表示素子が所定の走査線に沿って配列された表示パネルに、該駆動電圧信号を供給する信号処理装置である。
【００１９】
このような信号処理装置が組み込まれた表示装置の一例として、図１に示すような液晶表示装置１を用いて本発明を実施するための形態について説明する。
【００２０】
すなわち、液晶表示装置１は、例えば赤色光を表示するための液晶素子Ｒ、緑色光を表示するための液晶素子Ｇ、及び青色光を表示するための液晶素子Ｂを同一の液晶表示パネル上に配列された、いわゆる単板式の液晶表示パネル４０を備えたものである。
【００２１】
液晶表示パネル４０には、図２に示すように、所定の走査線の順方向Ｈに沿って、画素領域４１、４２、４３が配列されている。また、画素領域４１には、赤色光を表示するための液晶素子Ｒ（ｎ−１）、緑色光を表示するための液晶素子Ｇ（ｎ−１）、及び青色光を表示するための液晶素子Ｂ（ｎ−１）が設けられている（ｎは自然数。）。また、画素領域４２には、赤色光を表示するための液晶素子Ｒ（ｎ）、緑色光を表示するための液晶素子Ｇ（ｎ）、及び青色光を表示するための液晶素子Ｂ（ｎ）が設けられている。また、画素領域４３には、赤色光を表示するための液晶素子Ｒ（ｎ＋１）、緑色光を表示するための液晶素子Ｇ（ｎ＋１）、及び青色光を表示するための液晶素子Ｂ（ｎ＋１）が設けられている。
【００２２】
以上のように液晶素子が配列された液晶表示パネル４０では、画素領域４１から画素領域４２、画素領域４３の順に、各画素領域に設けられた液晶素子を駆動するための駆動電圧信号が後述する補正処理部３０から供給される。
【００２３】
すなわち、液晶表示パネル４０では、３相の駆動電圧信号が、第１のタイミングで画素領域４１に設けられている各液晶素子Ｒ（ｎ−１）、Ｇ（ｎ−１）、Ｂ（ｎ−１）に供給され、第２のタイミングで画素領域４２に設けられている各液晶素子Ｒ（ｎ）、Ｇ（ｎ）、Ｂ（ｎ）に供給され、画素領域４３に設けられている各液晶素子Ｒ（ｎ＋１）、Ｇ（ｎ＋１）、Ｂ（ｎ＋１）に供給され、続いて順次走査線に沿って並んだ画素領域の各液晶素子に供給される。
【００２４】
このようにして駆動電圧信号が各液晶素子に供給される液晶表示パネル４０は、走査線に沿って並んだ各液晶素子に駆動電圧信号が順次供給されることにより、映像信号に応じた映像を表示することができる。
【００２５】
以上のような構成の液晶表示パネル４０に駆動電圧信号を供給するため、液晶表示装置１は、外部から映像信号を入力する映像信号入力部１０と、映像信号に応じて液晶素子を駆動する駆動電圧信号を生成する駆動電圧信号生成部２０と、駆動電圧信号の電圧レベルを補正する補正処理部３０とを備える。
【００２６】
映像信号入力部１０は、例えば、所定のインタフェースを介して外部からデジタル形式の映像信号を入力して、入力した映像信号を駆動電圧信号生成部２０に供給する。
【００２７】
駆動電圧信号生成部２０は、映像信号入力部１０から供給される映像信号から、液晶表示パネル４０上の各画素領域内に設けられた各液晶素子Ｒ、Ｇ、Ｂを同時に駆動するため、３相の駆動電圧信号Ｓｉｇ＿Ｒ、Ｓｉｇ＿Ｇ、Ｓｉｇ＿Ｂを生成して、生成した３相の駆動電圧信号Ｓｉｇ＿Ｒ、Ｓｉｇ＿Ｇ、Ｓｉｇ＿Ｂを所定の出力タイミング毎に補正処理部３０に供給する。
【００２８】
ここで、駆動電圧信号生成部２０は、例えば映像信号が示す輝度レベルが高くなるのに伴って、液晶表示パネル４０の共通電極に対して０［Ｖ］から５［Ｖ］までの電圧レベルを設定した駆動電圧信号を生成する。
【００２９】
補正処理部３０は、駆動電圧信号生成部２０から供給される３相の駆動電圧信号Ｓｉｇ＿Ｒ、Ｓｉｇ＿Ｇ、Ｓｉｇ＿Ｂに対して後述する補正処理を施して、補正処理を施した３相の駆動電圧信号Ｓｉｇ＿Ｒ、Ｓｉｇ＿Ｇ、Ｓｉｇ＿Ｂを液晶表示パネル４０に供給する。
【００３０】
以上のような構成を備える液晶表示装置１では、液晶表示パネル４０に配列された液晶素子の動作特性に応じて、補正処理部３０が駆動電圧信号Ｓｉｇ＿Ｒ、Ｓｉｇ＿Ｇ、Ｓｉｇ＿Ｂが示す輝度レベルとなるように各液晶素子に供給する駆動電圧信号Ｓｉｇ＿Ｒ、Ｓｉｇ＿Ｇ、Ｓｉｇ＿Ｂの電圧レベルを補正する処理を行う。
【００３１】
まず、具体的な補正処理部３０の構成とその動作に関する説明に先立ち、駆動電圧信号の電圧レベルが隣接する液晶素子間で異なるときに液晶の配向に乱れが生じる要因について図３を用いて説明する。
【００３２】
図３（Ａ）は、液晶素子Ｂ（ｎ−１）、Ｒ（ｎ）、Ｇ（ｎ）、Ｂ（ｎ）、Ｒ（ｎ＋１）の順に並んだ走査線上での位置を横軸に示し、液晶素子Ｂ（ｎ−１）、Ｇ（ｎ）、Ｒ（ｎ＋１）に電圧レベルが５［Ｖ］の駆動電圧信号が供給され、液晶素子Ｒ（ｎ）、Ｂ（ｎ）に電圧レベルが２．５［Ｖ］の駆動電圧信号が供給されたときの各液晶素子が保持する電圧レベルを縦軸に示した図である。
【００３３】
ここで、例えば液晶素子Ｒ（ｎ）に注目した場合、この注目液晶素子Ｒ（ｎ）と走査線の逆方向に隣接する液晶素子Ｂ（ｎ−１）が保持する電圧レベルとの差が２．５［Ｖ］であり、この注目液晶素子Ｒ（ｎ）と走査線の順方向に隣接する液晶素子Ｇ（ｎ）が保持する電圧レベルとの差が２．５［Ｖ］であるため、注目液晶素子Ｒ（ｎ）の液晶層の電場に、図３（Ｂ）の矢印で示されるような乱れが生じる。すなわち、注目液晶素子Ｒ（ｎ）内の液晶では、この液晶素子の周辺部に近づくに従って、より大きく電場が乱れてしまう。注目液晶素子Ｒ（ｎ）は、このような電場の乱れによって液晶の配向も乱れるため、この注目液晶素子Ｒ（ｎ）によって表示される注目画素の輝度レベルが所望の値になるように駆動しない。
【００３４】
また、注目液晶素子Ｒ（ｎ）は、隣接する２つの液晶素子Ｂ（ｎ−１）、Ｇ（ｎ）に対して電圧レベル差がともに２．５［Ｖ］であるが、これら隣接する２つの液晶素子Ｂ（ｎ−１）、Ｇ（ｎ）がそれぞれ異なる色を表示するので互いに動作特性が異なるため、必ずしも両側から均一に液晶の配向の乱れが生じることにはならない。
【００３５】
以上のような電場の乱れによる画質劣化を低減するため、補正処理部３０は、次のようにして、駆動電圧信号Ｓｉｇ＿Ｒ、Ｓｉｇ＿Ｇ、Ｓｉｇ＿Ｂの電圧レベルを補正して、映像信号が示す輝度レベルとなるような駆動電圧信号Ｓｉｇ＿Ｒ、Ｓｉｇ＿Ｇ、Ｓｉｇ＿Ｂを液晶表示パネル４０内の各液晶素子に供給する処理を行う。
【００３６】
すなわち、補正処理部３０は、図４に示すように、駆動電圧信号生成部２０から供給される３相の駆動電圧信号Ｓｉｇ＿Ｒ、Ｓｉｇ＿Ｇ、Ｓｉｇ＿Ｂをそれぞれ遅延させる遅延器３１Ｒ、３１Ｇ、３１Ｂと、遅延器３１Ｒ、３１Ｇ、３１Ｂにより遅延された３相の駆動電圧信号Ｓｉｇ＿Ｒ、Ｓｉｇ＿Ｇ、Ｓｉｇ＿Ｂをさらに遅延させる遅延器３２Ｒ、３２Ｇ、３２Ｂと、遅延器３２Ｒ、３２Ｇ、３２Ｂにより遅延された３相の駆動電圧信号Ｓｉｇ＿Ｒ、Ｓｉｇ＿Ｇ、Ｓｉｇ＿Ｂをさらに遅延させる遅延器３３Ｒ、３３Ｇ、３３Ｂと、各駆動電圧信号Ｓｉｇ＿Ｒ、Ｓｉｇ＿Ｇ、Ｓｉｇ＿Ｂの電圧レベルを補正するための補正電圧レベルを算出する補正処理回路群３４Ｒ、３４Ｇ、３４Ｂと、各駆動電圧信号Ｓｉｇ＿Ｒ、Ｓｉｇ＿Ｇ、Ｓｉｇ＿Ｂに補正電圧レベルを加算する加算器３５Ｒ、３５Ｇ、３５Ｂとを備える。
【００３７】
遅延器３１Ｒ、３１Ｇ、３１Ｂは、駆動電圧信号生成部２０から供給される各駆動電圧信号Ｓｉｇ＿Ｒ、Ｓｉｇ＿Ｇ、Ｓｉｇ＿Ｂをそれぞれ出力タイミングの１周期分遅延させて各遅延器３２Ｒ、３２Ｇ、３２Ｂに供給する。
【００３８】
遅延器３２Ｒ、３２Ｇ、３２Ｂは、各遅延器３１Ｒ、３１Ｂ、３１Ｂから供給される駆動電圧信号Ｓｉｇ＿Ｒ、Ｓｉｇ＿Ｇ、Ｓｉｇ＿Ｂをそれぞれ出力タイミングの１周期分遅延させて各遅延器３３Ｒ、３３Ｇ、３３Ｂに供給する。
【００３９】
遅延器３３Ｒ、３３Ｇ、３３Ｂは、それぞれ後述する補正処理回路群３４Ｒ、３４Ｇ、３４Ｂに係る処理と同期を図るため、遅延器３２Ｒ、３２Ｇ、３２Ｂから供給される駆動電圧信号Ｓｉｇ＿Ｒ、Ｓｉｇ＿Ｇ、Ｓｉｇ＿Ｂを所定時間遅延させて、それぞれ加算器３５Ｒ、３５Ｇ、３５Ｂに供給する。
【００４０】
補正処理回路群３４Ｒ、３４Ｇ、３４Ｂは、それぞれ駆動電圧信号Ｓｉｇ＿Ｒ、Ｓｉｇ＿Ｇ、Ｓｉｇ＿Ｂの電圧レベルを補正するための補正電圧レベルを算出するための複数の回路群からなる。
【００４１】
すなわち、補正処理回路群３４Ｒは、注目液晶素子Ｒ（ｎ）に供給するための駆動電圧信号Ｓｉｇ＿Ｒ（ｎ）と、注目液晶素子Ｒ（ｎ）に隣接する液晶素子Ｂ（ｎ−１）に供給するための駆動電圧信号Ｓｉｇ＿Ｂ（ｎ−１）と、注目液晶素子Ｒ（ｎ）に隣接する液晶素子Ｇ（ｎ）に供給するための駆動電圧信号Ｓｉｇ＿Ｇ（ｎ）とから補正電圧レベルを算出するため、輝度検出器３４１Ｒと、２つの差分演算器３４２Ｒ、３４３Ｒと、２つの電圧補正器３４４Ｒ、３４５Ｒと、加算器３４６Ｒとを備える。
【００４２】
また、補正処理回路群３４Ｇは、注目液晶素子Ｇ（ｎ）に供給するための駆動電圧信号Ｓｉｇ＿Ｇ（ｎ）と、注目液晶素子Ｇ（ｎ）に隣接する液晶素子Ｒ（ｎ）に供給するための駆動電圧信号Ｓｉｇ＿Ｒ（ｎ）と、注目液晶素子Ｇ（ｎ）に隣接する液晶素子Ｂ（ｎ）に供給するための駆動電圧信号Ｓｉｇ＿Ｂ（ｎ）とから補正電圧レベルを算出するため、輝度検出器３４１Ｇと、２つの差分演算器３４２Ｇ、３４３Ｇと、２つの電圧補正器３４４Ｇ、３４５Ｇと、加算器３４６Ｇとを備える。
【００４３】
また、補正処理回路群３４Ｂは、注目液晶素子Ｂ（ｎ）に供給するための駆動電圧信号Ｓｉｇ＿Ｂ（ｎ）と、注目液晶素子Ｂ（ｎ）に隣接する液晶素子Ｇ（ｎ）に供給するための駆動電圧信号Ｓｉｇ＿Ｇ（ｎ）と、注目液晶素子Ｂ（ｎ）に隣接する液晶素子Ｒ（ｎ＋１）に供給するための駆動電圧信号Ｓｉｇ＿Ｒ（ｎ＋１）とから補正電圧レベルを算出するため、輝度検出器３４１Ｂと、２つの差分演算器３４２Ｂ、３４３Ｂと、２つの電圧補正器３４４Ｂ、３４５Ｂと、加算器３４６Ｂとを備える。
【００４４】
以下では、各補正処理回路群３４Ｒ、３４Ｇ、３４Ｂが、補正対象となる液晶素子の種類が異なる以外同様の構成を備えるので、代表して補正処理回路群３４Ｒに関して説明する。
【００４５】
輝度検出器３４１Ｒは、遅延器３１Ｒから出力される駆動電圧信号Ｓｉｇ＿Ｒ（ｎ）を入力して、この駆動電圧信号Ｓｉｇ＿Ｒ（ｎ）から、この液晶素子Ｒ（ｎ）によって表示される画素の輝度レベルを検出して、検出した輝度レベルを電圧補正器３４４Ｒ、３４５Ｒに供給する。
【００４６】
差分演算器３４２Ｒは、遅延器３１Ｒから出力される駆動電圧信号Ｓｉｇ＿Ｒ（ｎ）と、遅延器３２Ｂから出力される駆動電圧信号Ｓｉｇ＿Ｂ（ｎ−１）とをそれぞれ入力する。そして、差分演算器３４２Ｒは、入力した駆動電圧信号Ｓｉｇ＿Ｒ（ｎ）と駆動電圧信号Ｓｉｇ＿Ｂ（ｎ−１）との電圧レベル差を第１の電圧レベル差として算出して、この第１の電圧レベル差を電圧補正器３４４Ｒに供給する。
【００４７】
差分演算器３４３Ｒは、遅延器３１Ｒから出力される駆動電圧信号Ｓｉｇ＿Ｒ（ｎ）と、遅延器３１Ｇから出力される駆動電圧信号Ｓｉｇ＿Ｇ（ｎ）とをそれぞれ入力する。そして、差分演算器３４３Ｒは、入力した駆動電圧信号Ｓｉｇ＿Ｒ（ｎ）と駆動電圧信号Ｓｉｇ＿Ｇ（ｎ）との電圧レベル差を第２の電圧レベル差として算出して、この第２の電圧レベル差を電圧補正器３４５Ｒに供給する。
【００４８】
電圧補正器３４４Ｒは、後述する第１の補正係数Ｈｒ１と差分演算器３４２Ｒで算出された第１の電圧レベル差とから第１の補正電圧レベルを算出するため、図５に示すように、第１の補正係数Ｈｒ１を複数の輝度レベル毎に記憶したメモリ３４４Ｒ−１と、メモリ３４４Ｒ−１に記憶されている複数の第１の補正係数Ｈｒ１から輝度検出器３４１Ｒにより検出された輝度レベルに応じた第１の補正係数Ｈｒ１を選択する補正係数選択部３４４Ｒ−２と、補正係数選択部３４４Ｒ−２で選択した第１の補正係数Ｈｒ１と差分演算器３４２Ｒで算出された第１の電圧レベル差とを乗算し、この乗算結果を第１の補正電圧レベルとして算出する乗算器３４４Ｒ−３とを備える。
【００４９】
電圧補正器３４５Ｒは、後述する第２の補正係数Ｈｒ２と差分演算器３４３Ｒで算出された第２の電圧レベル差とから第２の補正電圧レベルを算出するため、図５に示すように、第２の補正係数Ｈｒ２を複数の輝度レベル毎に記憶したメモリ３４５Ｒ−１と、メモリ３４５Ｒ−１に記憶されている複数の第２の補正係数Ｈｒ２から輝度検出器３４１Ｒにより検出された輝度レベルに応じた第２の補正係数Ｈｒ２を選択する補正係数選択部３４５Ｒ−２と、補正係数選択部３４５Ｒ−２で選択した第２の補正係数Ｈｒ２と差分演算器３４３Ｒで算出された第２の電圧レベル差とを乗算し、この乗算結果を第２の補正電圧レベルとして算出する乗算器３４５Ｒ−３とを備える。
【００５０】
加算器３４６Ｒは、電圧補正器３４４Ｒで算出された第１の補正電圧レベルと、電圧補正器３４５Ｒで算出された第２の補正電圧レベルとを加算して、駆動電圧信号Ｓｉｇ＿Ｒの電圧レベルを補正するための補正電圧レベルとして加算器３５Ｒに供給する。
【００５１】
上述した構成からなる補正処理部３０では、第１の補正係数Ｈｒ１及び第２の補正係数Ｈｒ２を次のようにして求め、求めた値をそれぞれメモリ３４４Ｒ−１、３４５Ｒ−１に予め記憶させておくことで、適切な補正電圧レベルを算出することができる。
【００５２】
まず、基準となる注目液晶素子に供給される駆動電圧信号の電圧レベルに応じた注目画素の輝度レベルの変化は、次のように求めることができる。すなわち、液晶表示パネル４０の任意の走査線に並んだ液晶素子は、一般的に白色を正確に表示するために各液晶素子Ｒ、Ｇ、Ｂの動作特性が設定されている。したがって、走査線に沿って並んだ液晶素子Ｒ、Ｇ、Ｂに供給する駆動電圧信号の電圧レベルを図６（Ａ）に示すように互いに等しくした状態でＸ［Ｖ］（０≦Ｘ≦５）として変化させたときの、液晶素子Ｒによって表示される画素の輝度レベルの変化を検出する。この検出結果から、図７の■標記の点で結んだ曲線Ｃ１のような、横軸を電圧レベルとし縦軸を輝度レベルとした液晶素子Ｒの基準となる変化特性が得られる。
【００５３】
また、図６（Ｂ）に示すように、液晶素子Ｂに供給する駆動電圧信号の電圧レベルを５［Ｖ］に固定し、走査線に沿って並んだ他の液晶素子Ｒ、Ｇに供給する駆動電圧信号の電圧レベルを互いに等しくした状態でＸ［Ｖ］（０≦Ｘ≦５）として変化させたときの液晶素子Ｒによって表示される画素の輝度レベルの変化を検出する。この検出結果から、図７の◆標記の点で結んだ曲線Ｃ２のような、横軸を液晶素子Ｂに供給される駆動電圧信号Ｓｉｇ＿Ｂとの電圧レベル差とし、縦軸を輝度レベルとした液晶素子Ｒの変化特性が得られる。
【００５４】
また、図６（Ｃ）に示すように、液晶素子Ｇに供給する駆動電圧信号Ｓｉｇ＿Ｇの電圧レベルを５［Ｖ］に固定し、走査線に並んだ他の液晶素子Ｒ、Ｂに供給する駆動電圧信号の電圧レベルを互いに等しくした状態でＸ［Ｖ］（０≦Ｘ≦５）として変化させたときの液晶素子Ｒによって表示される画素の輝度レベルの変化を検出する。この検出結果から図７の▲標記の点で結んだ曲線Ｃ３のような、横軸を液晶素子Ｇに供給される駆動電圧信号Ｓｉｇ＿Ｇとの電圧レベル差とし、縦軸を輝度レベルとした液晶素子Ｒの変化特性が得られる。
【００５５】
以上のようにして得られた液晶素子Ｒの動作特性から、次のようにして第１の補正係数Ｈｒ１及び第２の補正係数Ｈｒ２が得られる。
【００５６】
まず、第１の補正係数Ｈｒ１は、走査線の逆方向に液晶素子Ｒと隣接する液晶素子Ｂに供給される駆動電圧信号Ｓｉｇ＿Ｂとの電圧レベル差によって変化する輝度レベルを補正するための係数である。
【００５７】
したがって、メモリ３４４Ｒ−１には、上述した曲線Ｃ１と曲線Ｃ２との比較して得られた関係に基づいて、輝度レベルが小さくなるのに伴って係数の値が大きくなるように設定した第１の補正係数Ｈｒ１を記憶させる。
【００５８】
また、第２の補正係数は、走査線の順方向に液晶素子Ｒと隣接する液晶素子Ｇに供給される駆動電圧信号Ｓｉｇ＿Ｇとの電圧レベル差によって変化する輝度レベルを補正するための係数である。
【００５９】
したがって、メモリ３４５Ｒ−１には、上述した曲線Ｃ１と曲線Ｃ３との比較して得られた関係に基づいて、輝度レベルが小さくなるのに伴って、値が大きくなるように設定した第２の補正係数Ｈｒ２を記憶させる。
【００６０】
また、図７に示す曲線Ｃ２と曲線Ｃ３とを比較すると、曲線Ｃ１に示される基準となる輝度レベルに対する輝度レベルの低下する度合いが曲線Ｃ３に比べて大きいので、第２の補正係数Ｈｒ２の値は第１の補正係数Ｈｒ１に比べて高く設定するものとする。
【００６１】
以上のようにして予め基準となる輝度レベルからどの程度輝度レベルが低下したかを検出することによって、第１の補正係数Ｈｒ１と、第２の補正係数Ｈｒ２とを適切に求めて、それぞれメモリ３４４Ｒ−１、３４５Ｒ−１に記憶させる。
【００６２】
したがって、以上のような構成を備える補正処理部３０は、液晶表示パネルに配置された隣接する液晶素子間の電圧レベル差による液晶の配向が乱れる度合いが走査線の順方向又は逆方向に隣接するかによって異なる場合でも、走査線の順方向に隣接する液晶素子との関係から第１の補正電圧レベルを算出し、走査線の逆方向に隣接する液晶素子との関係から第２の補正電圧レベルを算出して、これら第１、第２の補正電圧レベルを加算した電圧レベルの駆動電圧信号を注目液晶素子に供給するので、注目液晶素子の配向の乱れによる注目画素の輝度レベルの変化を適切に補正することができ、画質劣化を低減することができる。
【００６３】
上述した液晶表示装置１では、画素領域毎に１つの液晶素子Ｒ、Ｇ、Ｂがそれぞれ設けられた配列構造を有する液晶表示パネル４０を用いたが、このような配列構造に限定されるものではない。すなわち、液晶表示装置１では、隣接する液晶素子間の電圧レベル差による液晶の配向が乱れる度合いが走査線の順方向又は逆方向に隣接するかによって異なる配列構造の液晶表示パネルとして、例えば液晶素子の配列構造が走査方向に左右非対称である液晶表示パネルや、液晶の配向をチルト角を含めて制御する液晶素子が配列した単板式の液晶表示パネルに対しても、上述した補正処理部３０により適切に注目液晶素子の液晶の配向の乱れによる輝度レベルの変化を補正することができ、これにより液晶表示パネルに表示される画像の画質劣化を低減することができる。
【００６４】
次に、他の実施形態に係る液晶表示装置について説明する。この液晶表示装置２は、図８に示すような、液晶素子Ｒのみが複数配列された液晶表示パネル１４０Ｒと、液晶素子Ｇのみが複数配列された液晶表示パネル１４０Ｇと、液晶素子Ｂのみが複数配列された液晶表示パネル１４０Ｂとからなる三板式の液晶表示パネルを備えるものである。
【００６５】
また、液晶表示装置２は、各液晶表示パネル１４０Ｒ、１４０Ｇ、１４０Ｂにそれぞれ駆動電圧信号Ｓｉｇ＿Ｒ、Ｓｉｇ＿Ｇ、Ｓｉｇ＿Ｂを供給するために、外部から映像信号を入力する映像信号入力部１１０と、映像信号に応じて液晶素子を駆動するための駆動電圧信号を生成する駆動電圧信号生成部１２０と、駆動電圧信号の電圧レベルを補正する補正処理部１３０Ｒ、１３０Ｇ、１３０Ｂとを備える。
【００６６】
映像信号入力部１１０は、例えば、所定のインタフェースを介して外部からデジタル形式の映像信号を入力して、入力した映像信号を駆動電圧信号生成部１２０に供給する。
【００６７】
駆動電圧信号生成部１２０は、映像信号入力部１１０から供給される映像信号から、液晶表示パネル１４０Ｒ、１４０Ｇ、１４０Ｂに配列された液晶素子を同時に駆動するため、３相の駆動電圧信号Ｓｉｇ＿Ｒ、Ｓｉｇ＿Ｇ、Ｓｉｇ＿Ｂを生成して、生成した３相の駆動電圧信号Ｓｉｇ＿Ｒ、Ｓｉｇ＿Ｇ、Ｓｉｇ＿Ｂのうち、駆動電圧信号Ｓｉｇ＿Ｒを補正処理部１３０Ｒに供給し、駆動電圧信号Ｓｉｇ＿Ｇを補正処理部１３０Ｇに供給し、駆動電圧信号Ｓｉｇ＿Ｂを補正処理部１３０Ｂに供給する。
【００６８】
補正処理部１３０Ｒ、１３０Ｇ、１３０Ｂは、それぞれ駆動電圧信号生成部１２０から供給される駆動電圧信号Ｓｉｇ＿Ｒ、Ｓｉｇ＿Ｇ、Ｓｉｇ＿Ｂに対して後述する補正処理を施し、補正処理を施した各駆動電圧信号Ｓｉｇ＿Ｒ、Ｓｉｇ＿Ｇ、Ｓｉｇ＿Ｂをそれぞれ液晶表示パネル１４０Ｒ、１４０Ｇ、１４０Ｂに供給する。
【００６９】
以上のような構成を備える液晶表示装置２において、光の波長領域が異なる以外は、液晶表示パネル１４０Ｒ、１４０Ｇ、１４０Ｂに係る動作が同様なので、以下では代表して液晶表示パネル１４０Ｇに供給される駆動電圧信号Ｓｉｇ＿Ｇの電圧レベルに対して補正処理を施す処理工程に注目して説明する。
【００７０】
液晶表示パネル１４０Ｇは、三板式の液晶表示パネルのうち、緑色光を表示するためのパネルであって、例えば図９に示すように、画素領域１４１、１４２、１４３が所定の走査線の順方向Ｈに沿って配列されている。また、画素領域１４１、１４２、１４３には、それぞれ緑色光を表示するための液晶素子Ｇ（ｎ−１）、Ｇ（ｎ）、Ｇ（ｎ＋１）が設けられている。
【００７１】
そして、このような各画素領域内に液晶素子Ｇが設けられた液晶表示パネル４０では、第１のタイミングで駆動電圧信号生成部１２０からＧ（ｎ−１）に駆動電圧信号Ｓｉｇ＿Ｇ（ｎ−１）が供給され、第２のタイミングで駆動電圧信号生成部１２０からＧ（ｎ）に駆動電圧信号Ｓｉｇ＿Ｇ（ｎ）が供給され、第３のタイミングで駆動電圧信号生成部１２０からＧ（ｎ＋１）に駆動電圧信号Ｓｉｇ＿Ｇ（ｎ＋１）が供給される。
【００７２】
このようにして駆動電圧信号Ｓｉｇ＿Ｇ（ｎ−１）、Ｓｉｇ＿Ｇ（ｎ）、Ｓｉｇ＿Ｇ（ｎ＋１）が各液晶素子Ｇ（ｎ−１）、Ｇ（ｎ）、Ｇ（ｎ＋１）に供給される液晶表示パネル１４０Ｇでは、各液晶素子に駆動電圧信号が供給されることにより、映像信号が示す映像を表示することができる。
【００７３】
上述した単板式の液晶表示パネル４０と同様に、液晶表示パネル１４０Ｇにおいて例えば液晶素子Ｇ（ｎ）に注目したとき、注目液晶素子Ｇ（ｎ）は、隣接する液晶素子Ｇ（ｎ−１）、Ｇ（ｎ＋１）に供給される駆動電圧信号との電圧レベル差に応じて、液晶素子Ｇ（ｎ）の液晶の配向が乱れてしまうため、所望とする輝度レベルとなるように駆動することができない。
【００７４】
このような液晶の配向の乱れによる輝度レベルの変化を補正するため、補正処理部１３０Ｇは、図１０に示すように、駆動電圧信号生成部１２０から供給される駆動電圧信号Ｓｉｇ＿Ｇを遅延させる遅延器１３１Ｇと、遅延器１３１Ｇにより遅延された駆動電圧信号Ｓｉｇ＿Ｇをさらに遅延させる遅延器１３２Ｇと、遅延器１３２Ｇにより遅延された駆動電圧信号Ｓｉｇ＿Ｇをさらに遅延させる遅延器１３３Ｇと、駆動電圧信号Ｓｉｇ＿Ｇの電圧レベルを補正するための補正電圧レベルを算出する補正処理回路群１３４Ｇと、遅延器１３３Ｇから出力される駆動電圧信号Ｓｉｇ＿Ｇの電圧レベルに補正電圧レベルを加算する加算器１３５Ｇとを備える。
【００７５】
遅延器１３１Ｇは、駆動電圧信号生成部１２０から供給される駆動電圧信号Ｓｉｇ＿Ｇを出力タイミングの１周期分遅延させる。
【００７６】
遅延器１３２Ｇは、遅延器１３１Ｇから出力される駆動電圧信号Ｓｉｇ＿Ｇを出力タイミングの１周期分遅延させて遅延器１３３Ｇに供給する。
【００７７】
遅延器１３３Ｇは、後述する補正処理回路群１３４Ｇに係る処理と同期を図るため、遅延器１３２Ｇから供給される駆動電圧信号Ｓｉｇ＿Ｇを所定時間遅延させて、加算器１３５Ｇに供給する。
【００７８】
補正処理回路群１３４Ｇは、補正対象の液晶素子Ｇ（ｎ）の駆動電圧信号Ｓｉｇ＿Ｇ（ｎ）と、液晶素子Ｇ（ｎ）に隣接する液晶素子Ｇ（ｎ−１）の駆動電圧信号Ｓｉｇ＿Ｇ（ｎ−１）と、液晶素子Ｇ（ｎ）に隣接する液晶素子Ｇ（ｎ＋１）の駆動電圧信号Ｓｉｇ＿Ｇ（ｎ＋１）とから補正電圧レベルを算出するため、輝度検出器１３４１Ｇと、２つの差分演算器１３４２Ｇ、１３４３Ｇと、２つの電圧補正器１３４４Ｇ、１３４５Ｇと、加算器１３４６Ｇとを備える。
【００７９】
輝度検出器１３４１Ｇは、遅延器１３１Ｇから出力される駆動電圧信号Ｓｉｇ＿Ｇ（ｎ）を入力して、この駆動電圧信号Ｓｉｇ＿Ｇ（ｎ）から注目液晶素子Ｇ（ｎ）によって表示される画素の輝度レベルを検出して、検出した輝度レベルを電圧補正器１３４４Ｇ、１３４５Ｇに供給する。
【００８０】
差分演算器１３４２Ｇは、遅延器１３１Ｇから出力される駆動電圧信号Ｓｉｇ＿Ｇ（ｎ）と、遅延器１３２Ｇから出力される駆動電圧信号Ｓｉｇ＿Ｇ（ｎ−１）とをそれぞれ入力する。そして、差分演算器１３４２Ｇは、入力した駆動電圧信号Ｓｉｇ＿Ｇ（ｎ）と駆動電圧信号Ｓｉｇ＿Ｇ（ｎ−１）の電圧レベル差を第１の電圧レベル差として算出して、この第１の電圧レベル差を電圧補正器１３４４Ｇに供給する。
【００８１】
差分演算器１３４３Ｇは、遅延器１３１Ｇから出力される駆動電圧信号Ｓｉｇ＿Ｇ（ｎ）と、駆動電圧信号生成部１２０から供給される駆動電圧信号Ｓｉｇ＿Ｇ（ｎ＋１）とをそれぞれ入力する。そして、差分演算器１３４３Ｇは、入力した駆動電圧信号Ｓｉｇ＿Ｇ（ｎ）と駆動電圧信号Ｓｉｇ＿Ｇ（ｎ＋１）の電圧レベル差を第２の電圧レベル差として算出して、この第２の電圧レベル差を電圧補正器１３４５Ｇに供給する。
【００８２】
電圧補正器１３４４Ｇは、輝度検出器１３４１Ｇが検出した輝度レベルに応じて所定のメモリから選択した第１の補正係数Ｈｇ１と差分演算器１３４２Ｇで算出された第１の電圧レベル差とから第１の補正電圧レベルを算出する。
【００８３】
ここで、電圧補正器１３４４Ｇが備えるメモリに記憶される第１の補正係数Ｈｇ１は、液晶素子Ｇ（ｎ−１）に所定の電圧レベルの駆動電圧信号を供給した状態で、液晶素子Ｇ（ｎ）に供給する駆動電圧信号の電圧レベルに応じた液晶素子Ｇ（ｎ）によって表示される画素の輝度レベルの変化を予め検出した検出結果に基づいて設定された値である。
【００８４】
電圧補正器１３４５Ｇは、所定のメモリから輝度検出器１３４１Ｇが検出した輝度レベルに応じて選択した第２の補正係数Ｈｇ２と差分演算器１３４３Ｇで算出された第２の電圧レベル差とから第２の補正電圧レベルを算出する。
【００８５】
ここで、電圧補正器１３４５Ｇが備えるメモリに記憶される第２の補正係数Ｈｇ２は、液晶素子Ｇ（ｎ＋１）に所定の電圧レベルの駆動電圧信号を供給した状態で、液晶素子Ｇ（ｎ）に供給する駆動電圧信号の電圧レベルに応じた液晶素子Ｇ（ｎ）によって表示される画素の輝度レベルの変化を予め検出した検出結果に基づいて設定された値である。
【００８６】
加算器１３４６Ｇは、電圧補正器１３４４Ｇで算出された第１の補正電圧レベルと、電圧補正器１３４５Ｇで算出された第２の補正電圧レベルとを加算して、駆動電圧信号Ｓｉｇ＿Ｇ（ｎ）の電圧レベルを補正するための電圧レベルとして、加算器１３５Ｇに供給する。
【００８７】
したがって、以上のような構成を備える補正処理部１３０Ｇは、液晶表示パネルに配置された隣接する液晶素子間の電圧レベル差による液晶の配向が乱れる度合いが走査線の順方向又は逆方向に隣接するかによって異なる場合でも、走査線の順方向に隣接する液晶素子との関係から第１の補正電圧レベルを算出し、走査線の逆方向に隣接する液晶素子との関係から第２の補正電圧レベルを算出して、これら第１、第２の補正電圧レベルを加算した電圧レベルの駆動電圧信号を注目液晶素子に供給するので、注目液晶素子の配向の乱れによる注目画素の輝度レベルの変化を適切に補正することができ、画質劣化を低減することができる。
【００８８】
なお、本発明が適用された信号処理装置は、対向した基板間に狭持させた液晶に電圧を印加して該液晶を配向させる液晶素子を走査線に沿って配列させた液晶表示パネルを備える表示装置に組み込まれる形態に限定されるものではない。
【００８９】
すなわち、本発明を適用した信号処理装置は、複数の表示素子が所定の走査線に沿って配列された表示パネルであって、注目表示素子によって表示される輝度レベルが隣接する表示素子に供給される駆動電圧信号の信号レベルによって変化してしまう表示パネルに組み込んだ場合も、上述したように注目表示素子によって表示される注目画素の輝度レベルを適切に補正することができ、画質劣化を低減することができる。
【００９０】
具体的に、本発明が適用された信号処理装置は、例えば、少なくとも片側の基板が透明である２枚の電極を配した基板を対向させるとともに、この対向させた基板間に有機物を狭持して、狭持した有機物からなる表示素子に駆動電圧信号を印加することで、この表示素子を発光させる有機エレクトロルミネッセンス（Electroluminescence: ＥＬ）表示パネルに組み込んだ形態においても、画質劣化の低減を図ることができる。
【図面の簡単な説明】
【００９１】
【図１】表示装置の全体構成を模式的に示した図である。
【図２】単板式の液晶表示パネルに配列された液晶素子の配列構成を模式的に示した図である。
【図３】隣接する液晶素子に供給される駆動電圧信号間の電圧レベル差によって注目画素の輝度レベルが変化する主な要因の説明に供する模式図である。
【図４】補正処理部の回路構成を模式的に示した図である。
【図５】補正処理回路群の回路構成を模式的に示した図である。
【図６】第１、第２の補正係数を算出するための説明に供する図である。
【図７】液晶素子の動作特性に係る説明に供するグラフである。
【図８】他の実施形態に係る表示装置の全体構成を模式的に示した図である。
【図９】三板式の液晶表示パネルに配列された液晶素子の配列構成を模式的に示した図である。
【図１０】他の実施形態に係る表示装置の補正処理部の回路構成を模式的に示した図である。
【図１１】隣接する液晶素子に供給される駆動電圧信号間の電圧レベル差によって液晶の配向が乱れる様子を模式的に示した図である。
【符号の説明】
【００９２】
１、２  液晶表示装置、１０、１１０  映像信号入力部、２０、１２０  駆動電圧信号生成部、３０、１３０Ｒ、１３０Ｇ、１３０Ｂ  補正処理部、３１Ｒ、３１Ｇ、３１Ｂ、３２Ｒ、３２Ｇ、３２Ｂ、３３Ｒ、３３Ｇ、３３Ｂ、１３１Ｇ、１３２Ｇ、１３３Ｇ  遅延器、３４Ｒ、３４Ｇ、３４Ｂ、１３４Ｇ  補正処理回路群、３４１Ｒ、３４１Ｇ、３４１Ｂ、１３４１Ｇ  輝度検出器、３４２Ｒ、３４２Ｇ、３４２Ｂ、３４３Ｒ、３４３Ｇ、３４３Ｂ、１３４２Ｇ、１３４３Ｇ  差分演算器、３４４Ｒ、３４４Ｇ、３４４Ｂ、３４５Ｒ、３４５Ｇ、３４５Ｂ、１３４４Ｇ、１３４５Ｇ  電圧補正器、３４４Ｒ−１、３４５Ｒ−１  メモリ、３４４Ｒ−２、３４５Ｒ−２  補正係数選択部、３４４Ｒ−３、３４５Ｒ−３  乗算器、３４６Ｒ、３４６Ｇ、３４６Ｂ、１３４６Ｇ  加算器、３５Ｒ、３５Ｇ、３５Ｂ、１３５Ｇ  加算器、４０、１４０Ｒ、１４０Ｇ、１４０Ｂ  液晶表示パネル、４１、４２、４３、１４１、１４２、１４３  画素領域
【図１】
0005012275.tif 000002
【図２】
0005012275.tif 000003
【図３】
0005012275.tif 000004
【図４】
0005012275.tif 000005
【図５】
0005012275.tif 000006
【図６】
0005012275.tif 000007
【図７】
0005012275.tif 000008
【図８】
0005012275.tif 000009
【図９】
0005012275.tif 000010
【図１０】
0005012275.tif 000011
【図１１】
0005012275.tif 000012